(57)【特許請求の範囲】
【請求項１】
一対の側板間に棚板を架け渡し支承する棚構造であって、
前記側板は、当該側板の互いに向き合った面に、収納凹部と、この収納凹部に当該収納凹部から一部を出没可能に収納されている受け具を備えており、
前記棚板は、前記側板に接する側端面に開口して前記受け具の一部を受け入れる受け凹部と、この受け凹部内に前記受け具の一部を入れ込む入れ込み手段と、この受け凹部内に受け入れられた前記受け具の一部を当該受け凹部から前記収納凹部に戻す押し戻し手段とを備えており、
前記棚板の上方に向けた移動により前記入れ込み手段で、前記受け具の一部を該棚板の受け凹部内に入れ込み当該棚板を支承し、かつ、該棚板の上方に向けた移動により該受け凹部内の前記受け具の一部を前記押し戻し手段で、前記収納凹部に戻し得るようにしてあることを特徴とする棚構造。
【請求項２】
前記棚板に備えられる入れ込み手段が受け具を吸引する永久磁石であり、当該受け具の押し戻し手段が当該永久磁石の吸引力に抗して当該受け具を前記収納凹部側に押し戻す当該受け具の一部を受け入れた受け凹部の開口縁であることを特徴とする請求項１に記載の棚構造。
【請求項３】
前記側板の収納凹部に受け具が起立状態から回動可能に備えられており、前記棚板に備えられる弾性材が当該受け具の回動軸線より下側に弾接して当該受け具の入れ込み手段とされ、かつ、上側に弾接されて当該受け具を前記収納凹部に起立状態に押し戻す押し戻し手段とされていることを特徴とする請求項１に記載の棚構造。
【発明の詳細な説明】
【技術分野】
【０００１】
この発明は、棚板の支持手段であるだぼの突きだしがなく、棚板を随時、そのままの状態で上方に移動可能とし、また、必要に応じて、そのままの状態で下方に向けて移動可能とした棚構造の提供に関する。
【背景技術】
【０００２】
家具や建具等における一般的な棚構造にあっては、棚板が固定タイプのものと、可動タイプのものとがある。
【０００３】
かかる棚構造において可動タイプの棚構造では、収納対象に合わせて、棚を構成している各棚板を上下方に移動させ、その位置で固定する手段として棚板の受けだぼを用いており、かかる、だぼによる棚板の支承における不具合を避ける各種の試みがなされている。
【０００４】
例えば、棚板の支承手段としてだぼを用いながら、当該棚板の前端側に荷重が付加された場合における不具合を避けるために、棚板の背面側に開口する水平な溝を設け、この溝に側板のだぼを係合させることで、棚板の前端側に荷重が付加された場合でも、棚板が脱落することの無いキャビネットが提案されている（例えば、特許文献１）。
【０００５】
【特許文献１】特開２００２−１９１４５５
【発明の開示】
【発明が解決しようとする課題】
【０００６】
しかしながら、この種の棚の取り付け構造では、棚板の移動に際して、逐一、棚上に在る物を降ろした後に、棚板を取り外し、目的とする高さ位置にあるだぼ穴にだぼを差しかえて、この差し込み用意されただぼ上に、取り外した棚板を載せかえ設置して、再度、棚板上に並べ置く必要があった。
【０００７】
この結果、いったん、セットした棚板は、これを移動セットするためのだぼ穴やだぼの存在にもかかわらず、棚板の位置ずらせをすることなく、そのままの状態で用いられているケースが多々見受けられた。
【０００８】
また、だぼ穴にだぼを差し入れて棚板を受ける棚構造では、逐一、だぼを抜き出し、これを、新規に棚板をしつらえる位置のだぼ穴に差し入れて棚板の受け部を構成する必要があり、前記棚板上に在る物品の載せかえ作業に併せて当該棚板の移動を煩雑なものとしていた。
【０００９】
また、かかるだぼ穴にだぼを前もって差し入れて棚板の受けだぼを構成する手法では、各側板の同一高さにあるだぼ穴にだぼを差し入れて棚板を水平にセットする必要があり、この同一高さにあるだぼ穴に対して、だぼを都合よく差し入れセットすることが難しかった。
【００１０】
この発明は、かかる棚板の支承構造における不具合を解消し、棚板を、たんに、上方に移動させることで、棚板を上方に移動セットできると共に、当該棚板の動作に工夫を凝らすことで、当該棚板の下方に向けた移動をも容易とした棚構造の提供を目的としている。
【課題を解決するための手段】
【００１１】
この発明は、前記課題を解決するために、一対の側板間に棚板を架け渡し支承する棚構造であって、
前記側板は、当該側板の互いに向き合った面に、収納凹部と、この収納凹部に当該収納凹部から一部を出没可能に収納されている受け具を備えており、
前記棚板は、前記側板に接する側端面に開口して前記受け具の一部を受け入れる受け凹部と、この受け凹部内に前記受け具の一部を入れ込む入れ込み手段と、この受け凹部内に受け入れられた前記受け具の一部を当該受け凹部から前記収納凹部に戻す押し戻し手段とを備えており、
前記棚板の上方に向けた移動により前記入れ込み手段で、前記受け具の一部を該棚板の受け凹部内に入れ込み当該棚板を支承し、かつ、該棚板の上方に向けた移動により該受け凹部内の前記受け具の一部を前記押し戻し手段で、前記収納凹部に戻し得るようにしてあることを特徴とする棚構造としてある。
【００１２】
このように構成される棚構造では、棚板上に在るものを一切、上げ下げすることなく、随時、随意に、棚板を上方に移動し、要請される高さ位置にある受け具によって、当該位置に棚板を移動セットすることができる。
【００１３】
また、棚板の受け手段として用いられていない受け具は、側板における収納凹部内に収納状態としておくことができ、棚板空間の活用を安全かつ円滑になすことができる。
【００１４】
また、棚板は、受け具を逐一、同一高さ位置にセットする必要がなく、これを上方に向けて平行移動することで、各受け具のセット位置に自動的に確実にセットされる。
【００１５】
また、この棚板を支承する受け具は、当該棚板の支承に際しても、棚板で隠され、すっきりとした棚の収納空間を構成することができる。
【００１６】
また、前記構成に係る棚構造にあって、前記棚板に備えられる入れ込み手段が受け具を吸引する永久磁石であり、当該受け具の押し戻し手段が当該永久磁石の吸引力に抗して当該受け具を前記収納凹部側に押し戻す当該受け具の一部を受け入れた受け凹部の開口縁であることを特徴とする棚構造では、前記特長に併せて受け具、当該受け具の入れ込み手段、押し戻し手段を簡易に構成することができる。
【００１７】
また、前記構成に係る棚構造にあって、前記側板の収納凹部に受け具が起立状態から回動可能に備えられており、前記棚板に備えられる弾性材が当該受け具の回動軸線より下側に弾接して当該受け具の入れ込み手段とされ、かつ、上側に弾接されて当該受け具を前記収納凹部に起立状態に押し戻す押し戻し手段とされている棚構造では、棚板を確実に受ける受け具を簡易に構成でき、かつ、側板の収納凹部内に当該受け具を違和感無く納め入れることができる。
【発明の効果】
【００１８】
この発明に係る棚構造は、棚板を受ける受け具が側板の収納凹部内にあり、かつ、棚板を受ける際には、当該棚板の側端面にある受け凹部内で受けられており、棚空間がすっきりとした空間として構成されると共に、棚板の上方に向けた移動によって側板に備えられている任意位置の受け具に当該棚板を支承させて棚を構成できることから、棚板上にのせ置かれている物品の移動処理をすることなく容易かつ確実に棚空間の変更をなすことができる。
【発明を実施するための最良の形態】
【００１９】
以下、この発明を実施するための最良の形態に係る棚構造について具体的に説明する。
【００２０】
図１〜図７は、この発明を実施するための最良の形態に係る典型的な第一の棚構造を、図８〜図１５は、典型的な第二の棚構造を、図１６〜図２３は、典型的な第三の棚構造を示している。
【００２１】
図１〜図７に示される典型的な第一の棚構造は、図１で棚の主要部を斜め上方から見て、図２で、側板Ａ、Ａ間に棚板Ｂを組み付ける状態を、要部を断面して、図３では、側板Ａに棚板Ｂを組み付けた状態を、図４では、受け具２０に受けられていた棚板Ｂを上方に移動して当該受け具２０による支承を外す状態を、図５では、側板Ａの受け具２０位置から棚板Ｂを完全に上方に移動した状態を、それぞれ要部を断面して示している。また、図６では、この図５の状態にある棚板Ｂを、当該棚板Ｂの受け凹部３０が側板Ａに備えられている受け具２０の上下方向に存在しない位置まで引き出した状態を断面して上方から見て示しており、図７では、受け具２０を備える収納凹部構成部品１１を斜め上方から見て示している。
【００２２】
図８〜図１５に示される典型的な第二の棚構造は、図８で棚の主要部を斜め上方から見て、図９では、側板Ａ、Ａ間に棚板Ｂを組み付ける状態を、要部を断面して、図１０では、側板Ａに備えられている受け具２０を入れ込み手段４０で受け凹部３０に弾発した状態を、図１１では、この受け凹部３０に弾発された受け具２０の上端で受け凹部３０の上面を支承させるように棚板Ｂを下方に落とし込み、当該受け具２０で棚板Ｂを組み付けた状態を、図１２では、受け具２０に受けられていた棚板Ｂを上方に移動して当該受け具２０による支承を外し、当該受け具２０を収納凹部１０内に直立を維持するように押し戻した状態を、図１３では、側板Ａの受け具２０位置から棚板Ｂを完全に上方に移動した状態を、それぞれ要部を断面して示している。また、図１４では、この図１３の状態にある棚板Ｂを、当該棚板Ｂの受け凹部３０が側板Ａに備えられている受け具２０の上下方向に存在しない位置まで引き出した状態を断面して上方から見て示しており、図１５では、受け具２０を備える収納凹部構成部品１１と入れ込み手段４０及び押し戻し手段５０を備える受け凹部構成部品３１とを斜め上方から見て示している。
【００２３】
図１６〜図２３に示される典型的な第三の棚構造は、図１６で棚の主要部を斜め上方から見て、図１７では、側板Ａ、Ａ間に棚板Ｂを組み付ける状態を、要部を断面して、図１８では、側板Ａに備えられている受け具２０を入れ込み手段４０で受け凹部３０に弾発した状態を、図１９では、この受け凹部３０に弾発された受け具２０の上端で受け凹部３０の上面を支承させるように棚板Ｂを下方に落とし込み、当該受け具２０で棚板Ｂを組み付けた状態を、図２０では、受け具２０に受けられていた棚板Ｂを上方に移動して当該受け具２０による支承を外し、当該受け具２０を収納凹部１０内に直立を維持するように押し戻した状態を、図２１では、側板Ａの受け具２０位置から棚板Ｂを完全に上方に移動した状態を、それぞれ要部を断面して示している。また、図２２では、この図２１の状態にある棚板Ｂを、当該棚板Ｂの受け凹部３０が側板Ａに備えられている受け具２０の上下方向に存在しない位置まで引き出した状態を断面して上方から見て示しており、図２３では、受け具２０を備える収納凹部構成部品１１と入れ込み手段４０及び押し戻し手段５０を備える受け凹部構成部品３１とを斜め上方から見て示している。
【００２４】
まず、この発明を実施するための最良の形態に係る棚構造について具体的に説明する。
【００２５】
ここに示される棚構造は、一対の側板Ａ間に棚板Ｂを架け渡し支承する棚構造であって、以下の構成を備えている。
すなわち、前記側板Ａは、当該側板Ａの互いに向き合った面に、収納凹部１０と、この収納凹部１０に当該収納凹部１０から一部を出没可能に収納されている受け具２０を備えており、
前記棚板Ｂは、前記側板Ａに接する側端面に開口３０ａして前記受け具２０の一部を受け入れる受け凹部３０と、この受け凹部３０内に前記受け具２０の一部を入れ込む入れ込み手段４０と、この受け凹部３０内に受け入れられた前記受け具２０の一部を当該受け凹部３０から前記収納凹部１０に戻す押し戻し手段５０とを備えており、
前記棚板Ｂの上方に向けた移動により前記入れ込み手段４０で、前記受け具２０の一部を該棚板Ｂの受け凹部３０内に入れ込み当該棚板Ｂを支承し、かつ、該棚板Ｂの上方に向けた移動により該受け凹部３０内の前記受け具２０の一部を前記押し戻し手段５０で、前記収納凹部１０に戻し得るようにしてある。
【００２６】
ここで用いられる側板Ａ及び棚板Ｂは、いわゆる棚を構成し得るものであれば、いかなる素材のものであってもよく、また、いかなる形状をなすものであってもよい。
【００２７】
また、棚板Ｂを受ける受け具２０は、側板Ａに備えられている収納凹部１０に当該収納凹部１０から一部を出没可能に収納され、しかも、当該収納凹部１０から突き出された受け具２０で、当該側板Ａ、Ａ間にある棚板Ｂを支承し得るものであれば、いかなる素材からなるものであってもよく、また、いかなる形状をなすものであってもよい。また、かかる受け具２０は、側板Ａに直接凹設された収納凹部１０に、その一部を出没可能に組み付けてあっても、別段に構成用意される収納凹部構成部品１１に組み込まれた状態で側板Ａ面に埋設して設けるなど、いかなる態様に設けてあってもよい。
【００２８】
また、棚板Ｂに備えられる受け凹部３０は、側板Ａに接する側端面に開口３０ａし、しかも、前記の受け具２０の一部を受け入れて、この受け凹部３０に受け入れられた前記受け具２０で当該棚板Ｂを支承し得るものであれば、当該棚板Ｂに直接凹設してあっても、別段に構成用意される受け凹部構成部品３１を棚板Ｂの側端面に埋設して設けるなど、いかなる態様に設けてあってもよい。
【００２９】
また、前記棚板Ｂに備えられる受け具２０の入れ込み手段４０と当該受け具２０の押し戻し手段５０は、側板Ａに備えられている受け具２０の一部を棚板Ｂの受け凹部３０内に都合良く入れ込み、この入れ込まれた受け具２０で当該棚板Ｂを支承し、しかも、必要に応じて、この受け凹部３０に受け入れられた受け具２０を側板Ａにある収納凹部１０に向けて都合良く押し戻し得る機能を備えるものであれば、いかなる素材からなるものであっても、また、いかなる形態からなるものであってもよく、両者を別々に構成してあっても、当該入れ込み手段４０と押し出し手段とを同一の手段で構成してあってもよく、さらに、当該棚板Ｂ側に備えられる入れ込み手段４０及び押し戻し手段５０と、側板Ａに備えられる受け具２０及び受け具２０の備え付け収納凹部１０と共働して、受け具２０の入れ込み及び押し出しをなすようにしてあってもよい。
【００３０】
前記側板Ａに備えられる収納凹部１０は、棚板Ａにおける仮想の垂直線上に、多段的に設けてあり、しかも、当該収納凹部１０内に備えられる受け具２０によって、棚板Ｂの一端側を２カ所以上で受けうるように、当該側板Ａにおける幅方向、すなわち、横方向の同一高さ位置に２個以上が設けられるようにしてあることが好ましく、例えば、一対の側板Ａ、Ａ間に備えられる棚板Ｂを、同一の高さ位置にある４個の受け具２０で受けるようにして棚構造を構成することができる。
【００３１】
また、かかる棚板Ｂは、これを支承する側板Ａ、Ａ間で、左右、前後方向にずれることなく上下方向に平行に移動し得るように構成してあることが好ましく、例えば、一対の平行に起立されている側板Ａ、Ａを、背板Ｃや、天板、底板等で連結して、棚板の納め入れられる矩形の収納空間を構成し、当該矩形の収納空間を構成する各側板Ａ、Ａ間に、例えば、棚板Ｂの後端面を背板Ｃに接しさせた状態で組み付け、当該棚板Ｂを、その後端面を背板Ｃに接しさせながら上下方向に移動させることで、棚板Ｂに備えられている受け凹部３０に、同一の仮想の垂直線上に備えられている側板Ａの受け具２０を、順次に入れ込み、支承させることができる。
【００３２】
また、かかる側板Ａ、Ａに対する棚板Ｂの上下方向に向けた移動は、棚板Ｂの側端面に接する側板Ａに当該棚板Ｂを、左右方向、前後方向にずれないように案内するガイド手段を設け、又は、棚板Ｂの側に、側板Ａ、Ａに対して、左右方向、前後方向にずれないように案内するガイド手段を設けると共に、当該ガイド手段を用いて、棚板Ｂを移動させることで、側板Ａの仮想の垂直線上に多段的に備えられている各収納凹部１０の受け具２０を棚板Ｂの受け凹部３０に順次に受け入れ、支承させることができる。
【００３３】
なお、前記受け具２０を備える収納凹部１０を上下方向に多段的に備えている上下方向に長い板状材を別段に用意し、この別段に用意された板状材を側板Ａの面に適宜数、並設して各側板Ａを構成し、又は、前記板状材を側板Ａの面に凹設した縦向きの複数条の溝に埋設して各側板Ａを構成し、この側板Ａ、Ａ間に上下方向に移動可能に組み入れられる棚板Ｂを、前記受け具２０で支承するように構成してあってもよい。
【００３４】
そして、第一の実施の形態に係る棚構造では、前記棚板Ｂに備えられる入れ込み手段４０が受け具２０を吸引する永久磁石４１であり、当該受け具２０の押し戻し手段５０が当該永久磁石４１の吸引力に抗して当該受け具２０を前記収納凹部１０側に押し戻す当該受け具２０の一部を受け入れた受け凹部３０の開口縁３０ａ’で構成してある。
【００３５】
また、第二及び第三の実施の形態に係る棚構造では、前記側板Ａの収納凹部１０に受け具２０が起立状態から回動可能に備えられており、前記棚板Ｂに備えられる弾性材４２が当該受け具２０の回動軸線より下側に弾接して当該受け具２０の入れ込み手段４０とされ、かつ、上側に弾接されて当該受け具２０を前記収納凹部１０に起立状態に押し戻す押し戻し手段５０として構成してある。
【００３６】
まず、図１〜図７に示される第一の棚構造について詳細に説明する。
【００３７】
この、第一の棚構造は、一対の側板Ａ間に棚板Ｂを架け渡し支承する棚構造であって、前記側板Ａは、当該側板Ａの互いに向き合った面に、収納凹部１０と、この収納凹部１０に当該収納凹部１０から一部を出没可能に収納されている受け具２０を備えており、
前記棚板Ｂは、前記側板Ａに接する側端面に開口３０ａして前記受け具２０の一部を受け入れる受け凹部３０と、この受け凹部３０内に前記受け具２０の一部を入れ込む入れ込み手段４０と、この受け凹部３０内に受け入れられた前記受け具２０の一部を当該受け凹部３０から前記収納凹部１０に戻す押し戻し手段５０とを備えており、
前記棚板Ｂの上方に向けた移動により前記入れ込み手段４０で、前記受け具２０の一部を該棚板Ｂの受け凹部３０内に入れ込み当該棚板Ｂを支承し、かつ、該棚板Ｂの上方に向けた移動により該受け凹部３０内の前記受け具２０の一部を前記押し戻し手段５０で、前記収納凹部１０に戻し得るようにしてあって、
前記棚板Ｂに備えられる入れ込み手段４０が受け具２０を吸引する永久磁石４１としてあり、当該受け具２０の押し戻し手段５０が受け凹部３０の開口縁３０ａ’で構成してあり、当該永久磁石４１の吸引力に抗して当該受け具２０を該受け凹部３０の開口縁３０ａ’で前記収納凹部１０側に押し戻すように構成してある。
【００３８】
ここで棚構造を構成する棚は、家具、建具等の任意の棚であって、例えば、側板Ａ、背板Ｃ等で棚板Ｂを左右方向及び前後方向にずらさないように上下方向に移動しうるように構成した矩形空間に、例えば、当該棚板Ｂの後端面を前記背板Ｃに接するように設けてある。
【００３９】
かかる棚を構成する向き合っている一対の側板Ａにおける互いに向き合っている面の互いに向き合う同一高さ位置に、当該側板Ａの奥行き方向にわたって複数個、この図示例にあっては２個の並設される収納凹部１０を、この側板Ａの上下方向に同一の仮想垂直線上に位置するように複数段設けてある。
【００４０】
この収納凹部１０は、当該側板Ａに直接的に凹部を構成するようにしてあってもよく、この図示例におけるように収納凹部構成部品１１で構成するようにしてあってもよい。この図示例では、側面に開口１０ａする扁平箱状のボックス体１１’を用意しこのボックス体１１’における開口縁の両側にある縦向きの鍔１１ａを、この鍔１１ａの鍔表面が側板Ａ面に面一となるように当該側板Ａに埋設状態に備え付けて収納凹部１０を構成してある。
【００４１】
かかる側板Ａに備えられている各収納凹部１０に、それぞれ受け具２０を備え付ける。この図示例では、永久磁石４１によって吸引され得る磁性材、磁性材を含む素材、磁性材と併せて構成される受け具２０は、永久磁石４１の吸引力によって吸引されて水平向きに移動される摺動受け具２１として用意される。
【００４２】
かかる摺動受け具２１は、棚板Ｂに備えられる永久磁石４１によって吸引移動され得る態様に当該収納凹部１０、この図示例にあっては、ボックス体１１’内に摺動可能に設けてあり、常時は、当該ボックス体１１’内に納め入れられた状態とされており、棚板Ｂにおける永久磁石４１による吸引に際して当該受け具２１の一部を当該収納凹部１０から棚板Ｂの受け凹部３０内に入り込むように備えられている。
【００４３】
かかる摺動受け具２１は、当該摺動受け具２１が、より永久磁石４１による吸引力で動作し、かつ、必要に応じて押し戻し得るように、例えば、直方体状に構成してあり、永久磁石４１による吸引時に収納凹部１０から突き出す側の下面側がカットされて傾斜ガイド面２１ｂを備えるように構成してある。
【００４４】
この傾斜ガイド面２１ｂは、角筒状をなす収納凹部構成部品１１のボックス体１１’に当該摺動受け具２１が摺動可能に密に納め入れられて、前記永久磁石４１で吸引移動された際に、該ボックス体１１’に残されている部分から、受け凹部３０内に受け入れられる部分とにわたる当該摺動受け具２１の下面側に、当該ボックス体１１’の側から受け凹部３０に受け入れられる側に向けて傾斜状に上がる斜面として構成してある。また、この傾斜ガイド面２１ｂは、摺動受け具２１における収納凹部１０に納め入れられている側から受け凹部３０に吸引される当該摺動受け具２１の下面側に備えられており、この傾斜ガイド面２１ｂの下端が当該摺動受け具２１の下面に連続され、かつ、上端が、当該摺動受け具２１の先端の垂直面２１ｃに連続するように構成してある。
【００４５】
かかる受け具２１は、収納凹部構成部品１１を構成するボックス体１１’内に、水平方向に向けて摺動可能に密に納め入れられており、永久磁石４１で引き出された際に、当該ボックス体１１’内に残されている受け具部分が当該ボックス体１１’内で密に保持され、このボックス体１１’における上面２１ａにおける当該収納凹部１０から突き出された部分上で、棚板Ｂを安定に支承しうるうように構成されている。
【００４６】
かかる点から、収納凹部構成部品１１のボックス体１１’をアルミ材やプラスチック材等の筒状非磁性材で構成し、摺動受け具２１を当該筒状非磁性材に密に嵌り合う磁性材等からなる角状素材又は磁性材を備えて構成される角状素材、例えば、強磁性の角状材で構成すると共に、このボックス体１１’から突出される摺動受け具２１の上面２１ａが棚板Ｂを受け得る平滑な支承面とされ、当該棚板Ｂを支承するに足る強度を備えるように構成してある。
【００４７】
なお、このボックス体１１’には、永久磁石４１に吸引される素材からなる摺動受け具２１が、このボックス体１１’から抜け出したり、脱落するなどの不具合を解消するために、当該開口１０ａにおけるボックス体１１’の下端縁に一対のストッパー片１１ｂ、１１ｂを起立状態に設けてある。
【００４８】
かかる摺動受け具２１を水平向きに摺動可能に備える側板Ａ、Ａ間に備えられる棚板Ｂには、当該側板Ａに接する側端面に開口３０ａする受け凹部３０が設けてあり、前記側板Ａ、Ａ間に当該棚板Ｂを移動し、この開口３０ａが前記側板Ａの収納凹部１０に向き合った際に、当該側板Ａに備えられている前記受け具２１が当該受け凹部３０に入り込み得るように構成してある。
【００４９】
かかる摺動受け具２１の入れ込まれる受け凹部３０は、前記側板Ａの各摺動受け具２１に対応するように当該棚板Ｂの側端面に開口３０ａして設けてあっても、また、当該開口３０ａを構成するボックス体３１’を備える受け凹部構成部品３１を別段に構成用意し、この受け凹部構成部品３１に備えられている鍔３１ａの表面が棚板Ｂの側端面に面一となるように当該棚板Ｂに埋設状態に組み付け用意してあってもよい。
【００５０】
このように摺動受け具２１を備えている側板Ａ、Ａ間に棚板Ｂを納め入れて、この棚板Ｂを移動させることによって、摺動受け具２１の収納凹部１０と棚板Ｂの受け凹部３０とが一致した箇所で、当該摺動受け具２１の入れ込み手段４０を構成する永久磁石４１が当該摺動受け具２１を受け凹部３０内に引き入れ、この摺動受け具２１面上に棚板Ｂを支承するように機能する。
【００５１】
かかる摺動受け具２１の入れ込み手段４０を構成する永久磁石４１は、この図示例では、アルミ材やプラスチック材等の非磁性材からなるボックス体３１’内に備え付けられており、当該永久磁石４１で引き寄せられた摺動受け具２１は、このボックス体１１’の天井面を確実に支持し、当該側板Ａに組み付けられる棚板Ｂによる棚機構を構成する。
【００５２】
また、この棚板Ｂの受け凹部３０に入れ込まれる摺動受け具２１は、その突き出し下面側が、収納凹部１０に収納されている側から突き出し先端側に向けて斜上する傾斜ガイド面２１ｂとなるようにカットされており、棚板Ｂにおける受け凹部３０の開口縁３０ａ’が当該ガイド面２１ｂに摺接して、棚板Ｂを上方に移動した際に、この開口縁３０ａ’が摺動受け具２１を当該受け凹部３０から押し出す押し戻し手段５０として機能する。
【００５３】
すなわち、棚板Ｂにおける受け凹部３０内に備えられている永久磁石４１で当該受け凹部３０内に吸引されている摺動受け具２１における前記傾斜ガイド面２１ｂを、当該受け凹部３０の開口縁３０ａ’上に位置させることで、当該棚板Ｂの上方に向けた引き上げにより、前記摺動受け具２１を永久磁石４１の吸引力に抗して、前記収納凹部１０側に戻す押し戻し手段５０としてある。
【００５４】
したがって、棚板Ｂを移動した際には、当該棚板Ｂを支承している受け具２１は、前記動作によって収納凹部１０内に押し込まれており、側板Ａ面がすっきりとした外観に整えられる。
【００５５】
かかる棚板Ｂを下方に移動させる際には、前記図５に示されるように摺動受け具２１を収納凹部１０に押し戻した状態で、図６に示されるように棚板Ｂを、前記受け具２１の下方に受け凹部３０が存在しない位置に到るまで前方に移動させ、この状態で、棚板Ｂを下方に移動すると共に、目的とする高さ位置で、前記受け具２１を受け凹部３０の上方又は下方に位置づけるように、この図示例では、棚板Ｂの後端面を背板Ｃに突き当てるように当該棚板Ｂを奥側に移動し、これを上方又は下方に移動することで、当該棚板Ｂを前記受け具２１によって前記側板Ａに支承させることができる。
【００５６】
ついで、図８〜図１５に示される第二の棚構造について詳細に説明する。
【００５７】
この、第二の棚構造は、一対の側板Ａ間に棚板Ｂを架け渡し支承する棚構造であって、前記側板Ａは、当該側板Ａの互いに向き合った面に、収納凹部１０と、この収納凹部１０に当該収納凹部１０から一部を出没可能に収納されている受け具２０を備えており、
前記棚板Ｂは、前記側板Ａに接する側端面に開口３０ａして前記受け具２０の一部を受け入れる受け凹部３０と、この受け凹部３０内に前記受け具２０の一部を入れ込む入れ込み手段４０と、この受け凹部３０内に受け入れられた前記受け具２０の一部を当該受け凹部３０から前記収納凹部１０に戻す押し戻し手段５０とを備えており、
前記棚板Ｂの上方に向けた移動により前記入れ込み手段４０で、前記受け具２０の一部を該棚板Ｂの受け凹部３０内に入れ込み当該棚板Ｂを支承し、かつ、該棚板Ｂの上方に向けた移動により該受け凹部３０内の前記受け具２０の一部を前記押し戻し手段５０で、前記収納凹部１０に戻し得るようにしてあって、
前記側板Ａの収納凹部１０に受け具２０が起立状態から回動可能に備えられており、前記棚板Ｂに備えられる弾性材４２が当該受け具２０の回動軸線より下側に弾接して当該受け具２０の入れ込み手段４０とされ、かつ、上側に弾接されて当該受け具２０を前記収納凹部１０に起立状態に押し戻す押し戻し手段５０として構成してある。
【００５８】
ここで棚構造を構成する棚は、家具、建具等の任意の棚であって、例えば、側板Ａ、背板Ｃ等で棚板Ｂを左右方向及び前後方向にずらさないように上下方向に移動しうるように構成した矩形空間に、例えば、当該棚板Ｂの後端面を前記背板Ｃに接するように設けてある。
【００５９】
かかる棚を構成する向き合っている一対の側板Ａにおける互いに向き合っている面の互いに向き合う同一高さ位置に、当該側板Ａの奥行き方向にわたって複数個、この図示例にあっては２個の並設される収納凹部１０を、この側板Ａの上下方向に同一の仮想垂直線上に位置するように複数段設けてある。
【００６０】
この収納凹部１０は、当該側板Ａに直接的に凹部を構成するようにしてあってもよく、この図示例におけるように収納凹部構成部品１１で構成するようにしてあってもよい。この図示例では、側面に開口１０ａする扁平箱状のボックス体１１’を用意しこのボックス体１１’における開口縁の両側にある縦向きの鍔１１ａを、この鍔１１ａの鍔表面が側板Ａ面に面一となるように当該側板Ａに埋設状態に備え付けて収納凹部１０を構成してある。
【００６１】
かかる側板Ａに備えられている各収納凹部１０に、それぞれ受け具２０を備え付ける。この図示例では、板バネ４２’等の弾性材４２によって弾発回動される回動受け具２２を傾倒阻止片１１ｃで所定の傾き状態に維持して棚板Ｂを支承する回動受け具２２として用意される。
【００６２】
かかる回動受け具２２は、棚板Ｂに備えられる入れ込み手段４０及び押し戻し手段５０として機能する弾性材４２における突き出し弾性片部４２’ａによって回動されるように、収納凹部１０を構成する収納凹部構成部品１１のボックス体１１’内に軸２２ｃで回動可能に設けてある。
【００６３】
この図示例に係る回動受け具２２は、この回動受け具２２を納め入れている収納凹部１０の前面を塞いで、側板Ａ面と面一となるように、当該ボックス体１１’の開口端側に起立板部２２ａを軸２２ｃで、回動可能に備えており、この起立板部２２ａが起立している状態では、当該収納凹部１０が塞がれた状態に構成してある。
【００６４】
この起立板部２２ａは、比較的下部側をボックス体１１’の両側板に軸２２ｃで回動可能に組み付けてあり、下端部から収納凹部１０の内方に向けてほぼ直角に屈曲する突き当て板部２２ｂを備えており、この突き当て板部２２ｂ端が、当該起立板部２２ａを傾倒した際にボックス体１１の傾倒阻止片１１ｃに突き当たるように構成してある。なお、この起立板部２２ａは、その上部側を収納凹部１０から外方に突き出すように傾倒させうるように、下端面と当該ボックス体１１’の底面との間に当該回動受け具２２の回動隙間を生ずるように構成してある。
【００６５】
また、この回動受け具２２における突き当て板部２２ｂの内側の下端部には、当該回動受け具２２の起立板部２２ａが起立状態を維持し得るように凸部２２ｂ’が隆起状態に設けてあり、この起立板部２２ａを起立状態とした際に、ボックス体１１’の底面に圧接するようにしてある。
【００６６】
また、この回動受け具２２は、起立板部２２ａの軸２２ｃによる支持部より上方部分を収納凹部１０側に押し込んだ際に、この凸部２２ｂをボックス体１１’の底面に押しつけ、かつ、起立板部２２ａの上端面の外側部が当該ボックス体１１’の天井面に押しつけられて、当該起立板部２２ａを起立状態に維持しうるように、当該起立板部２２ａの上端面が外側端に向けて斜上する傾斜面としてあり、その頂端部分を押し込み突端２２ａ’として構成してある。
【００６７】
かかる回動受け具２２は、当該回動受け具２２の入れ込み手段４０及び押し戻し手段５０として機能される板バネ４２’等の弾性材４２によって、その上端側を収納凹部１０から外方に回動、開き出された際に、棚板Ｂにおけ受け凹部３０に都合よく入り込み、かつ、当該棚板Ｂを安定に保持する強度を備えたものとして用意される。
【００６８】
かかる回動受け具２２を回動可能に備える側板Ａ、Ａ間に備えられる棚板Ｂには、当該側板Ａに接する側端面に開口３０ａする受け凹部３０が設けてあり、前記側板Ａ、Ａ間で当該棚板Ｂを移動し、この開口３０ａが前記側板Ａの収納凹部１０に向き合った際に、当該側板Ａに備えられている前記受け具２２が当該受け凹部３０に入り込み得るように構成してある。
【００６９】
かかる回動受け具２２の入れ込まれる受け凹部３０は、前記側板Ａの各回動受け具２２に対応するように当該棚板Ｂの側端面に開口３０ａして設けてあっても、また、当該開口３０ａを構成するボックス体３１’を備える受け凹部構成部品３１を別段に構成用意し、この受け凹部構成部品３１に備えられている鍔３１ａの表面が棚板Ｂの側端面と面一になるように当該棚板Ｂに埋設状態に組み付け用意してあってもよい。
【００７０】
このように回動受け具２２を備えている側板Ａ、Ａ間に棚板Ｂを納め入れて、この棚板Ｂを移動させることによって、回動受け具２２の収納凹部１０と棚板Ｂの受け凹部３０とが一致した箇所で、当該回動受け具２２の入れ込み手段４０を構成する弾性材４２が当該回動受け具２２の軸２２ｃより下方部分を収納凹部１０側に押し入れると共に、当該回動受け具２２、より詳しくは、起立板部２２ａの上部側を当該受け凹部３０内に引き入れ、この回動受け具２２面上に棚板Ｂを支承するように機能する。
【００７１】
また、側板Ａ、Ａ間にある棚板Ｂを上方に移動することで、前記弾性材４２が起立板部２２ａの軸２２ｃよりも上方側を収納凹部１０側に押し込むことで、当該回動受け具２２は、その突き当て板部２２ｂにある凸部２２ｂ’をボックス体１１’の底面に突き当て、かつ、起立板部２２ａの押し込み突端２２ａ’を当該ボックス体１１’の天井面に強く押し込まれて、この起立板部２２ａが収納凹部１０面を垂直に塞ぐように起立状態に維持される。
【００７２】
かかる回動受け具２２の回動を、必要に応じて強制する弾性材４２は、この図示例では、受け凹部３０、より具体的には、当該受け凹部３０を構成する受け凹部構成部品３１のボックス体３１’の背板面に止着４２’ｂした板バネ４２’を当該ボックス体３１’の底面側に延設し、その下端部の自由端に弾性片部４２’ａを設け、この弾性片部４２’ａで、回動受け具２２の起立板部２２ａの上端側を当該受け凹部３０内に押し入れる入れ込み手段４０とし、また、この受け凹部３０内にある起立板部２２ａの上端部を前記収納凹部１０の側に押し戻す押し戻し手段５０としてある。
【００７３】
すなわち、棚板Ｂの移動前においても、棚板Ｂの移動後においても、当該棚板Ｂを支承している受け具２２は、前記動作によって収納凹部１０内に押し込まれており、側板Ａ面がすっきりとした外観に整えられる。
【００７４】
かかる棚板Ｂを下方に移動させる際には、前記図１３に示されるように回動受け具２２を収納凹部１０に押し戻した状態で、図１４に示されるように棚板Ｂを、前記受け具２２の下方に受け凹部３０が存在しない位置に到るまで前方に移動させ、この状態で、棚板Ｂを下方に移動すると共に、目的とする高さ位置で、前記受け具２２を受け凹部３０の上方又は下方に位置づけるように当該棚板Ｂを奥側、この図示例では、背板Ｃに当該棚板Ｂの後端面を接する位置まで移動し、これを上方又は下方に移動することで、当該棚板Ｂを前記受け具２２によって前記側板Ａに支承させることができる。
【００７５】
ついで、図１６〜図２３に示される第三の棚構造について詳細に説明する。
【００７６】
この、第三の棚構造は、一対の側板Ａ、Ａ間に棚板Ｂを架け渡し支承する棚構造であって、前記側板Ａは、当該側板Ａの互いに向き合った面に、収納凹部１０と、この収納凹部１０に当該収納凹部１０から一部を出没可能に収納されている受け具２０を備えており、
前記棚板Ｂは、前記側板Ａに接する側端面に開口３０ａして前記受け具２０の一部を受け入れる受け凹部３０と、この受け凹部３０内に前記受け具２０の一部を入れ込む入れ込み手段４０と、この受け凹部３０内に受け入れられた前記受け具２０の一部を当該受け凹部３０から前記収納凹部１０に戻す押し戻し手段５０とを備えており、
前記棚板Ｂの上方に向けた移動により前記入れ込み手段４０で、前記受け具２２の一部を該棚板Ｂの受け凹部３０内に入れ込み当該棚板Ｂを支承し、かつ、該棚板Ｂの上方に向けた移動により該受け凹部３０内の前記受け具２２の一部を前記押し戻し手段５０で、前記収納凹部１０に戻し得るようにしてあって、
前記側板Ａの収納凹部１０に受け具２０が起立状態から回動可能に備えられており、前記棚板Ｂに備えられる弾性材４２が当該受け具２０の回動軸線より下側に弾接して当該受け具２０の入れ込み手段４０とされ、かつ、上側に弾接されて当該受け具２０を前記収納凹部１０に起立状態に押し戻す押し戻し手段５０として構成してある。
【００７７】
ここで棚構造を構成する棚は、家具、建具等の任意の棚であって、例えば、側板Ａ、背板Ｃ等で棚板Ｂを左右方向及び前後方向にずらさないように上下方向に移動しうるように構成した矩形空間に、例えば、当該棚板Ｂの後端面を前記背板Ｃに接するように設けてある。
【００７８】
かかる棚を構成する向き合っている一対の側板Ａにおける互いに向き合っている面の互いに向き合う同一高さ位置に、当該側板Ａの奥行き方向にわたって複数個、この図示例にあっては２個の並設される収納凹部１０を、この側板Ａの上下方向に同一の仮想垂直線上に位置するように複数段設けてある。
【００７９】
この収納凹部１０は、当該側板Ａに直接的に凹部を構成するようにしてあってもよく、この図示例におけるように収納凹部構成部品１１で構成するようにしてあってもよい。この図示例では、側面に開口１０ａする扁平箱状のボックス体１１’を用意しこのボックス体１１’における開口縁の両側にある縦向きの鍔１１ａを、この鍔１１ａの鍔表面が側板Ａ面に面一となるように当該側板Ａに埋設状態に備え付けて収納凹部１０を構成してある。
【００８０】
かかる側板Ａに備えられている各収納凹部１０に、それぞれ受け具２０を備え付ける。この図示例では、板バネ４２’等の弾性材４２によって弾発回動される回動受け具２２を収納凹部１０の背面１１ｄで所定の傾き状態に維持して棚板Ｂを支承する回動受け具２２として用意される。
【００８１】
かかる回動受け具２２は、棚板Ｂに備えられる入れ込み手段４０及び押し戻し手段５０として機能する弾性材４２における突き出し弾性片部４２’ａによって回動されるように、収納凹部１０を構成する収納凹部構成部品１１のボックス体１１内に軸２２ｃで回動可能に設けてある。
【００８２】
この図示例に係る回動受け具２２は、この回動受け具２２を納め入れている収納凹部１０の前面を塞いで、側板Ａ面と面一となるように、当該ボックス体１１’の開口端側に起立板部２２ａを軸２２ｃで、回動可能に備えており、この起立板部２２ａが起立している状態では、当該収納凹部１０が塞がれた状態に構成してある。
【００８３】
かかる状態で、起立板部２２ａにおける軸２２ｃより下方が弾性材４２で押し込まれた際、当該起立板部２２ａの上部側が受け凹部３０内に都合よく入れ込まれると共に、下端側が収納凹部１０、この図示例ではボックス体１１’の背面１１ｄに突き当てられ、起立板部２２ａを所定角度に維持して、棚板Ｂを都合よく支承するように機能する。
【００８４】
また、この図示例に係る回動受け具２２は、起立板部２２ａの上端面と下端面とが、それぞれ傾斜面をなすように構成してあり、上端面の傾斜は収納凹部１０の内側から外側に向けて斜上して、外側の頂端が押し込み突端２２ａ’をなすように、また、下端面の傾斜は収納凹部１０の外側から該収納凹部１０の底面に向けて斜め下がりの構成としてあり、軸２２ｃより起立板部２２ａの上側を収納凹部１０に向けて押し込んだ際に、この上端の押し込み突端２２ａ’と、下端の押し込み突端２２ａ”とが、それぞれボックス体１１’の天井面と底面とに強く押し込まれて、当該起立板部２２ａを起立状態に維持し得るようにしてある。
【００８５】
かかる回動受け具２２は、当該回動受け具２２の入れ込み手段４０及び押し戻し手段５０として機能される板バネ４２’等の弾性材４２によって、その上端側を収納凹部１０から外方に回動、開き出された際に、棚板Ｂにおけ受け凹部３０に都合よく入り込み、かつ、当該棚板Ｂを安定に保持する強度を備えたものとして用意される。
【００８６】
かかる回動受け具２２を回動可能に備える側板Ａ、Ａ間に備えられる棚板Ｂには、当該側板Ａに接する側端面に開口３０ａする受け凹部３０が設けてあり、前記側板Ａ、Ａ間に当該棚板Ｂを移動し、この開口３０ａが前記側板Ａの収納凹部１０に向き合った際に、当該側板Ａに備えられている前記受け具２２が当該受け凹部３０に入り込み得るように構成してある。
【００８７】
かかる回動受け具２２の入れ込まれる受け凹部３０は、前記側板Ａの各回動受け具２２に対応するように当該棚板Ｂの側端面に開口３０ａして設けてあっても、また、当該開口３０ａを構成するボックス体３１’を備える受け凹部構成部品３１を別段に構成用意し、この受け凹部構成部品３１に備えられている鍔３１ａの表面が棚板Ｂの側端面に面一となるように当該棚板Ｂに埋設状態に組み付け用意してあってもよい。
【００８８】
このように回動受け具２２を備えている側板Ａ、Ａ間に棚板Ｂを納め入れて、この棚板Ｂを移動させることによって、回動受け具２２の収納凹部１０と棚板Ｂの受け凹部３０とが一致した箇所で、当該回動受け具２２の入れ込み手段４０を構成する弾性材４２が当該回動受け具２２の軸２２ｃより下方部分を収納凹部１０側に押し入れると共に、当該回動受け具２２、より詳しくは、起立板部２２ａの上部側を当該受け凹部３０内に引き入れ、この回動受け具２２面上に棚板Ｂを支承するように機能する。
【００８９】
また、側板Ａ、Ａ間にある棚板Ｂを上方に移動することで、前記弾性材４２が起立板部２２ａの軸２２ｃよりも上方側を収納凹部１０側に押し込むことで、当該回動受け具２２は、その起立板部２２ａの押し込み突端２２ａ’をボックス体１１’の天井面に、下端側の押し込み突端２２ａ”を当該ボックス体１１’の底面に押し当てて、当該収納凹部１０面を垂直に塞ぐように起立状態に維持される。
【００９０】
かかる回動受け具２２の回動を、必要に応じて強制する弾性材４２は、この図示例では、受け凹部３０、より具体的には、当該受け凹部３０を構成する受け凹部構成部品３１のボックス体３１’の背板面に止着４２’ｂした板バネ４２’を当該ボックス体３１’の底面側に延設し、その下端部の自由端に弾性片部４２’ａを設け、この弾性片部４２’ａで、回動受け具２２の起立板部２２ａの上端側を当該受け凹部３０内に押し入れる入れ込み手段４０とし、また、この受け凹部３０内にある起立板部２２ａの上端部を前記収納凹部１０の側に押し戻す押し戻し手段５０としてある。
【００９１】
すなわち、棚板Ｂの移動前においても、棚板Ｂの移動後においても、当該棚板Ｂを支承している受け具２２は、前記動作によって収納凹部１０内に押し込まれており、側板Ａ面がすっきりとした外観に整えられる。
【００９２】
かかる棚板Ｂを下方に移動させる際には、前記図２１に示されるように回動受け具２２を収納凹部１０に押し戻した状態で、図２２に示されるように棚板Ｂを、前記受け具２２の下方に受け凹部３０が存在しない位置に到るまで前方に移動させ、この状態で、棚板Ｂを下方に移動すると共に、目的とする高さ位置で、前記受け具２２を受け凹部３０の上方又は下方に位置づけるように当該棚板Ｂを奥側、この図示例では、背板Ｃに当該棚板Ｂの後端面が接する位置まで移動し、これを上方又は下方に移動することで、当該棚板Ｂを前記受け具２２によって前記側板Ａに支承させることができる。
【図面の簡単な説明】
【００９３】
【図１】典型的な第一の棚構造を示す要部斜視図
【図２】同棚構造において棚板の組み付け前の状態を示す要部断面図
【図３】同棚板を組み付けた状態の要部断面図
【図４】同棚板を上方に移動している状態を示す要部断面図
【図５】同棚板が側板による支承を解かれた状態を示す要部断面図
【図６】同棚板を前方に移動した状態を示す平断面図
【図７】同棚構造に用いられる摺動受け具を備えた収納凹部構成部品を示す斜視図
【図８】典型的な第二の棚構造を示す要部斜視図
【図９】同棚構造において棚板の組み付け前の状態を示す要部断面図
【図１０】同棚板の組み付け途中の状態を示す要部断面図
【図１１】同棚板を組み付けた状態の要部断面図
【図１２】同棚板を上方に移動している状態を示す要部断面図
【図１３】同棚板が側板による支承を解かれた状態を示す要部断面図
【図１４】同棚板を前方に移動した状態を示す平断面図
【図１５】同棚構造に用いられる回動受け具を備えた収納凹部構成部品と弾性材を備えた受け凹部構成部品を示す斜視図
【図１６】典型的な第三の棚構造を示す要部斜視図
【図１７】同棚構造において棚板の組み付け前の状態を示す要部断面図
【図１８】同棚板の組み付け途中の状態を示す要部断面図
【図１９】同棚板を組み付けた状態の要部断面図
【図２０】同棚板を上方に移動している状態を示す要部断面図
【図２１】同棚板が側板による支承を解かれた状態を示す要部断面図
【図２２】同棚板を前方に移動した状態を示す平断面図
【図２３】同棚構造に用いられる回動受け具を備えた収納凹部構成部品と弾性材を備えた受け凹部構成部品を示す斜視図
【符号の説明】
【００９４】
１０  収納凹部
２０  受け具
３０  受け凹部
４０  入れ込み手段
５０  押し戻し手段
Ａ  側板
Ｂ  棚板
【図１】
0005281281.tif 000002
【図２】
0005281281.tif 000003
【図３】
0005281281.tif 000004
【図４】
0005281281.tif 000005
【図５】
0005281281.tif 000006
【図６】
0005281281.tif 000007
【図７】
0005281281.tif 000008
【図８】
0005281281.tif 000009
【図９】
0005281281.tif 000010
【図１０】
0005281281.tif 000011
【図１１】
0005281281.tif 000012
【図１２】
0005281281.tif 000013
【図１３】
0005281281.tif 000014
【図１４】
0005281281.tif 000015
【図１５】
0005281281.tif 000016
【図１６】
0005281281.tif 000017
【図１７】
0005281281.tif 000018
【図１８】
0005281281.tif 000019
【図１９】
0005281281.tif 000020
【図２０】
0005281281.tif 000021
【図２１】
0005281281.tif 000022
【図２２】
0005281281.tif 000023
【図２３】
0005281281.tif 000024